(57)【要約】【課題】  デジタルカメラで撮影した画像を直接ワイヤレスで他の機器に転送する場合に、画像サイズが大きいと転送先の機器で撮影した全ての画像を確認するのに時間がかかってしまうので、この対策として撮影画像の確認が素早く出来るようなカメラ及びカメラ画像転送システムを提案する。【解決手段】  デジタルカメラ本体で撮影した画像の内、特定の画像（例えば通常の撮影ではサムネイル画像、ＲＡＷ＋ＪＰＥＧ撮影時では画像サイズの比較的小さいＪＰＥＧ画像）のみを先に転送しておく事で、転送先ではこの画像を確認した上で最終的に必要な画像のみを選択して転送するようにした。【選択図】        図１
2006080860.tif 000002
【特許請求の範囲】
【請求項１】
被写体を撮影して撮像データを出力する撮像手段と、前記撮像データに対して所定の画像処理を実施し複数の符号化データを生成する画像処理手段と、前記複数の画像符号化データを一時的に記憶する画像記憶手段と、該画像記憶手段に記憶したデータを書き換え可能な外部メモリに記憶する外部記憶手段と、前記画像記憶手段若しくは前記外部記憶手段に記憶した複数の画像符号化データを無線通信にて外部機器に転送するワイヤレス転送手段から構成されるカメラにおいて、画像転送として前記複数の画像符号化データの内特定の形式の画像のみを転送する第一の転送モードと、画像転送として外部機器から選択された画像のみを転送する第二の転送モードを有する事を特徴とするカメラ。
【請求項２】
複数の画像符号化データとしては、前記撮像手段の撮影画素数に相当する画像を符号化した本画像と、前記撮像手段の撮影画素数を所定の倍率にて間引いた画像を符号化したサムネイル画像とで構成されることを特徴とする請求項１に記載のカメラ。
【請求項３】
複数の画像符号化データとしては、前記撮影手段の撮像データを非可逆タイプの圧縮方法によって圧縮した画像と、可逆タイプの圧縮方法によって圧縮した画像とで構成されることを特徴とする請求項１に記載のカメラ。
【請求項４】
被写体を撮影して撮像データを出力する撮像手段と、前記撮像データに対して所定の画像処理を実施し複数の符号化データを生成する画像処理手段と、前記複数の画像符号化データを一時的に記憶する画像記憶手段と、該画像記憶手段に記憶したデータを書き換え可能な外部メモリに記憶する外部記憶手段と、前記画像記憶手段若しくは前記外部記憶手段に記憶した複数の画像符号化データを無線通信にて外部機器に転送するワイヤレス転送手段から構成されるカメラと、前記カメラから転送される画像符号化データを無線通信にて受信すると共に前記カメラに対して所定のコマンドを無線通信にて送信するワイヤレス伝送外部機器とで構成されるカメラ画像伝送システムにおいて、カメラのレリーズ撮影後直ちに所定の画像を前記カメラから前記ワイヤレス伝送外部機器に伝送し、その後ワイヤレス伝送外部機器側ではこの画像を内部記憶手段に記憶すると共に外部表示手段に画像表示する構成とし、その後ワイヤレス外部機器側で画像の選択を行った上でこの画像の選択情報をカメラ側にワイヤレス伝送にて通知し、カメラ側ではこの通知結果に基づいて所定の画像を選択的にワイヤレス伝送外部機器に伝送する事を特徴とするカメラ画像転送システム。
【発明の詳細な説明】
【技術分野】
【０００１】
本発明はデジタルカメラ等に内蔵したワイヤレス伝送機器を用いた画像転送システムに関するものであり、特に撮影画像のファイルを選択的に伝送する為のカメラとホスト機器間の画像転送処理方法について提案する。
【背景技術】
【０００２】
従来デジタルカメラ等で撮影した画像を、ダイレクトで無線ＬＡＮ等のワイヤレス伝送システムを介して送信する場合には、図４に示したような方法で転送を行っていた。
【０００３】
図４では不図示のデジタルカメラ本体で撮影し所定の画像処理を施した撮影画像を、カメラ本体に装着したカードメモリに撮影駒順に記憶していくと共に、外部インタフェースを介してデジタルカメラ本体部に接続されているワイヤレス伝送ブロックにも同様に撮影駒順に従って撮影画像を転送する。
【０００４】
初めに１駒目のサムネイル画像（本画像を所定の間引き処理して画像サイズを縮小したもので、撮影者が画像の確認用にカメラ本体のＴＦＴ表示部で観察したりＰＣ上で観察したりする為に、通常数１００Ｋバイトの画像サイズで構成される）、１駒目の本画像（実際の撮影素子の画素数に合わせた撮影画像で、通常数Ｍバイトの画像サイズで構成される）、２駒目のサムネイル画像、２駒目の本画像、更に３駒目、４駒目、５駒目というように、順々にワイヤレス通信部１００に画像データを送り出していく。
【０００５】
このワイヤレス通信部は実際に送信する為の画像データを無線用のＲＦデータに変換する為の処理部で構成されると共に、逆にホスト機器からの各無線データを受信して所定のデータに変換する為の処理部としても構成される送受信兼用モジュールから成っている。
【０００６】
実際の撮影画像はこのワイヤレス通信部１００で所定の変調処理を行った後、アンテナ１０１を介して実際の無線データとしてホスト機器に対して送信していく事になる。
【０００７】
一方受信側では上記送信部より送信された画像データをアンテナ１０３を介して受信し、このデータをワイヤレス通信部１０２に入力するが、このワイヤレス通信部１０２も上記ワイヤレス通信部１００と全く同じ構成となっていて、画像データ等の送受信を共に行う事が可能である。
【０００８】
このワイヤレス通信部１０２を介して無線データを元の画像データに復調していくが、この場合も当然受信した画像は、１駒目のサムネイル画像、１駒目の本画像、２駒目のサムネイル画像、２駒目の本画像というように撮影した画像順と同じであり、これをホスト機器１０４のモニター画面上に順々に表示（例えばサムネイル画像のみを順々に画面上に分割して表示する）していく事になる。
【０００９】
このように従来のデジタルカメラに内蔵若しくはカメラ本体に直接接続されたワイヤレス通信モジュールを介してホスト機器との画像伝送を行うようなシステムの場合には、撮影した撮影駒順に全ての画像データを送信し、その画像データをホスト側で順々に受信するようなシステムが一般的に採用されている。
【特許文献１】特開２００１−０１６３５０号公報
【発明の開示】
【発明が解決しようとする課題】
【００１０】
従来の方法で示したように、デジタルカメラで撮影した画像をカメラ本体に内蔵若しくは外部に装着した無線モジュールを介してワイヤレス（無線）で他のホスト機器やホストＰＣ等に伝送する場合はその伝送速度がネックとなる。
【００１１】
現在世の中で普及しているＩＥＥＥ８０２．１１規格の無線ＬＡＮではその速度が１０Ｍｂｐｓから５０Ｍｂｐｓ程度であり、更に実行速度的にはこの数分の一程度迄伝送速度が低下してしまうし、更に無線通信の場合は有線と違って伝送距離が長くなればなる程、電波信号レベルの低下によって更に伝送速度が低下してしまうという問題点もはらんでいる。
【００１２】
通常カメラで撮影した画像を撮影した撮影駒順に従って伝送していく為、撮影した画像サイズが大きくなればなる程伝送先のホスト機器側では全ての撮影画像を確認し終わる迄の時間は非常に長くなってしまい、数十枚の撮影画像を全て伝送する場合には最初の画像と最後の画像との間に数分程度の時間の開きが発生してしまう事になる。
【００１３】
そこで本出願では、カメラ本体と離れた位置にあるホスト機器側でいかに撮影した画像を素早く確認するかという観点に着目し、実使用条件下で有効に機能させる為のカメラ及びカメラ画像転送システムを提供することを目的とする。
【課題を解決するための手段】
【００１４】
上記目的を達成するために本出願に係る発明は、被写体を撮影して撮像データを出力する撮像手段と、前記撮像データに対して所定の画像処理を実施し複数の符号化データを生成する画像処理手段と、前記複数の画像符号化データを一時的に記憶する画像記憶手段と、該画像記憶手段に記憶したデータを書き換え可能な外部メモリに記憶する外部記憶手段と、前記画像記憶手段若しくは前記外部記憶手段に記憶した複数の画像符号化データを無線通信にて外部機器に転送するワイヤレス転送手段から構成されるカメラにおいて、画像転送として前記複数の画像符号化データの内特定の形式の画像のみを転送する第一の転送モードと、画像転送として外部機器から選択された画像のみを転送する第二の転送モードを有する事を特徴とする。
【発明の効果】
【００１５】
本出願に係る発明によれば、カメラ側で撮影した画像をホスト側にワイヤレス伝送する際に、一気に全ての撮影画像を伝送するのではなく、初めにサムネイル画像等の縮小画像を伝送してホスト側のユーザーがその場で撮影画像の確認を直ちに行い、その後撮影の本画像を全て伝送若しくはホスト側のユーザーがモニター画面を見ながら必要な画像のみを選択して、その選択情報をカメラ側にワイヤレスで通知し、カメラ側からその選択情報に基づく画像のみを伝送するという画像伝送を行う事で、ワイヤレス伝送そのものの伝送速度の低さをカバーする画像伝送システムを実現する事が可能となる。
【発明を実施するための最良の形態】
【００１６】
以下本発明を実施するための最良の形態を、実施例により詳しく説明する。
【実施例１】
【００１７】
図１は本発明の全体のシステム構成を示すブロック図であり、この図の構成の場合は撮影者自身による不図示のカメラ操作スイッチ（カメラのメインＳＷ及びレリーズＳＷで構成）の状態変化を全体制御ＣＰＵ７が検出し、その他の各回路ブロックへの電源供給並びに初期設定を開始すると共に各カメラ系の制御をカメラ制御手段８を通して実行する。
【００１８】
撮影画面範囲内の被写体像は、全体制御ＣＰＵ７からの信号でレンズ駆動手段４を介して所定動作する主撮影光学系３を通して撮像素子（この場合ＣＣＤ）１上に結像し、この撮像素子１からの出力信号をアナログフロントエンド回路５を介して各画素毎に相関二重サンプリング→ゲイン設定→ＡＤ変換を実施し、順々に所定のデジタル信号に変換する。
【００１９】
ここで撮像素子１は、全体の駆動タイミングを決定しているタイミングジェネレータ（ＴＧ／ＳＳＧ）２からの信号に基づき、各画素毎の水平駆動並びに垂直駆動の為のドライバー回路を介して所定駆動する事により画像信号出力を発生する。
【００２０】
上記アナログフロントエンド５の出力信号は実際の信号処理を行うＤＳＰ６に入力し、ここで撮像素子１と主撮影光学系３との組み合わせ等で生ずる光学的な画像劣化の補正を実行し、次に内部の色補間ブロックへ入力して通常センサーの画素配列がベイヤー配列で構成されているものに対して、色補間処理を行ってＲＧＢの３プレーンのデータに変換する。
【００２１】
この色補間処理に続いてＤＳＰ内部のマトリックス補正ブロックへ入力し、センサー固有のカラーフィルターの持つ分光特性から所望の色を出力する為のマトリックス補正を実行してＲＧＢ→ＲＧＢ変換を行う。
【００２２】
次に内部のγ変換ブロックへ入力して、通常アナログフロントエンド回路５でデジタルデータに変換したデータ巾１２ビットを８ビットに変換する処理を行い、所定のダイナミックレンジに入るようにデータの変換いわゆるγ変換を行う。
【００２３】
更に内部のＲＧＢ→ＹＣｒＣｂ変換ブロックへ入力してＲＧＢ→ＹＣｒＣｂの色変換処理を行った後、内部の偽色除去ブロックへ入力してＣｒＣｂ成分に対する偽色除去処理を行う。
【００２４】
ここで偽色除去処理としては、いわゆるサンプリング周波数と画像周波数との関係から生ずる色モアレ等の発生に対してメディアンフィルター（中間値フィルター）を使用する等があげられる。
【００２５】
更に内部のエッジ強調ブロックへ入力し、いわゆる画像の中間周波数付近のゲインを持ち上げるエッジ強調処理を行って画像の輪郭強調等の加工を行った後、内部の解像度変換ブロックへ入力して所定の画像サイズにリサイズする。
【００２６】
ここで所定の画像サイズにリサイズする場合は、実際にフィルター処理を行ってから間引き処理を行うことになるが、水平及び垂直方向に対して同等の処理を行う。
【００２７】
以上の動作を１フレーム分順々に行っていき、その結果をＤＳＰ６のバス上に繋がっているバッファメモリ９に一時的に記憶する。
【００２８】
以上の動作が撮像素子１を通して撮像した画像に対する実際のカラー処理であるが、このバッファメモリ９に展開したカラー処理後のデータを再びＤＳＰ６へ入力し、今度は圧縮処理を実行する。
【００２９】
この圧縮処理としては、通常のＤＣＴ変換をベースとした非可逆タイプのＪＰＥＧ圧縮処理と、可逆タイプのＬｏｓｓｌｅｓｓ圧縮処理が一般的に使用されている。
【００３０】
はじめに上述した方法でカラー処理を行った結果を記憶しているバッファメモリ９の画像処理後のデータをＤＳＰ６へ読み込み、ここで内部のラスターブロック変換ブロックへ入力して、画像データを水平８画素、垂直８画素単位での２次元単位でのブロックに変換する。
【００３１】
次に内部のＤＣＴ変換ブロックにデータを入力し、ここでは８×８ブロック単位でいわゆる周波数成分毎の８×８のデータに変換するＤＣＴ変換を行い、２次元単位での低周波成分から高周波成分への係数を算出する。
【００３２】
次に内部の量子化ブロックへ入力して上記ＤＣＴ変換で算出した係数値に対する量子化を行うが、この量子化に関しては事前に値が設定されている量子化テーブルの値に基づいて各係数毎の除算にて実現している。
【００３３】
更にこの量子化した結果を所定のスキャン方向に沿ってデータを読み出しながら、内部のハフマン符号化ブロックへ入力して、ここではやはり事前に値が設定されているハフマンテーブルの値に沿ったエントロピー符号化を実施する。
【００３４】
上記の方法で圧縮したデータを再度バッファメモリ９の所定領域内に書き戻す事で一連の圧縮処理を終了する。
【００３５】
一方可逆タイプのＬｏｓｓｌｅｓｓ圧縮方法としては、いわゆるＤＰＣＭをベースにした圧縮処理に関するものであるが、はじめに上述した方法でカラー処理を行った結果を記憶しているバッファメモリ９の画像処理後のデータをＤＳＰ６へ読み込み、内部のＤＰＣＭ変換ブロックへ入力して、予測値との差分データとして画像データを変換する。
【００３６】
次にこのＤＰＣＭ変換したデータを読み出しながら内部のハフマン符号化ブロックへ入力して、ここでは事前に値が設定されているハフマンテーブルの値に沿ったエントロピー符号化を実施する。
【００３７】
上記の方法で圧縮したデータを再度バッファメモリ９の別の所定領域内に書き戻す事で一連の圧縮処理を終了する。
【００３８】
以上の方法によりＤＳＰ６内部で所定の圧縮フォーマットに基づきデータ圧縮した上で、その圧縮データをカードコントローラ１０を介してカードメモリ１１（通常フラッシュメモリ等の不揮発性メモリを使用）に記憶する。
【００３９】
又、逆に撮影済みの画像データを観察する場合には、上記カードメモリ１１に圧縮記憶されたデータを上記ＤＳＰ６内部のＪＰＥＧ処理ブロックを通して通常の撮影画素毎のデータに伸張し、その結果をバッファメモリ９へ転送する事で、この画像データをＴＦＴコントローラ制御手段１２及びＴＦＴ表示手段１３を通して撮影画像を縮小して外部表示する事が出来る。
【００４０】
又、上記ＤＳＰ６での本画像処理と同時に作成したサムネイル画像に関しても、カードメモリ１１に記憶しておく事で、撮影した画像の確認用にこの画像データを読み出して上記ＴＦＴ表示手段１３を通して表示する事も可能である。
【００４１】
一方カメラ全体の制御及び上記コントローラに対するシーケンス制御に関しては、全体制御ＣＰＵ７がバス上に繋がっている不図示のインストラクションメモリに記憶してあるインストラクションコードに従って命令を実行する事で動作を行い、レンズ駆動手段４を介して主撮影光学系３を駆動制御（レンズ内のフォーカス駆動や絞り駆動制御）したり、カメラ制御手段８等で示したシャッター制御手段を介して実際のシャッター露光制御を行い、更には撮影処理画像に対してヘッダ情報を付加したり、撮影条件等の情報をカードメモリ内のデータとして付加したりして記録する。
【００４２】
又、上記撮影画像処理後のデータとしてカードメモリに記憶された画像データは、ＩＥＥＥ１３９４Ｉ／Ｆ若しくはＵＳＢＩ／Ｆコントローラ１４を介して外部接続されたホスト機器若しくはホストＰＣにも同時に転送する事も可能である。
【００４３】
この場合は上記バッファメモリに一時記憶した画像データを上記ＩＥＥＥ１３９４Ｉ／Ｆ若しくはＵＳＢＩ／Ｆコントローラ１４で構成される高速シリアルＩ／Ｆを介して非常に高速な転送速度で外部機器１５に転送する事で実現している。
【００４４】
次にこのカメラシステムに直接接続された無線システムの構成に関して説明を行う。
【００４５】
図１に示したワイヤレス伝送部１６は、上記カメラ信号処理用ＤＳＰ６並びに全体制御ＣＰＵ７等が共通で使用している内部バス上に接続され、このバスを介して実際に送信する画像データやホスト機器側から送られてくる様々な受信データを転送する構成になっている。
【００４６】
ワイヤレス伝送部１６は実際の画像データやホスト機器からのコマンドデータなどのデータ情報を伝送上最適なＳ／Ｎを稼げるようにする為の１次変調（例えばＩＥＥＥ８０２．１１ａで使用されているＯＦＤＭ変調等）を行ったり、実際の他の無線機器等との送受信タイミングを決定する為のアクセス制御を実行するベースバンド処理部１６ａ、実際に所定の無線周波数帯の高周波信号に変換するＲＦ処理部１６ｂ、ＲＦ信号に変換された信号を実際の送信出力として出力する為のパワーアンプで構成される送信部１６ｃ、外部からの無線信号を感度よく受信する為のローノイズアンプで構成される受信部１６ｄ、この送信信号並びに受信信号をアンテナに対して切り替える為のアンテナスイッチ１６ｅから構成されており、このアンテナスイッチ１６ｅの先には実際に無線信号を送受信する為の外部アンテナ１７が接続されている。
【００４７】
以上がデジタルカメラ本体に内蔵若しくは外部接続されたワイヤレス伝送部を持つカメラシステムの構成を示したものであるが、上記デジタルカメラとの画像データの交換を行う外部機器に関しても、同様なワイヤレス伝送部を持つものである。
【００４８】
外部機器２０は通常のＰＣ等で構成されているものであり、この外部拡張バスにワイヤレス伝送部１８が接続され、上記カメラ本体側と全く同様に実際に受信される画像データやカメラ本体に対して送信する各種データを転送する構成になっている。
【００４９】
ワイヤレス伝送部１８は実際の画像データやホスト機器からのコマンドデータなどのデータ情報を伝送上最適なＳ／Ｎを稼げるようにする為の１次変調（例えばＩＥＥＥ８０２．１１ａで使用されているＯＦＤＭ変調等）を行ったり、実際の他の無線機器等との送受信タイミングを決定する為のアクセス制御を実行するベースバンド処理部１８ａ、実際に所定の無線周波数帯の高周波信号に変換するＲＦ処理部１８ｂ、ＲＦ信号に変換された信号を実際の送信出力として出力する為のパワーアンプで構成される送信部１８ｃ、外部からの無線信号を感度よく受信する為のローノイズアンプで構成される受信部１８ｄ、この送信信号並びに受信信号をアンテナに対して切り替える為のアンテナスイッチ１８ｅから構成されており、このアンテナスイッチ１８ｅの先には実際に無線信号を送受信する為の外部アンテナ１９が接続されている。
【００５０】
このようにデジタルカメラ本体側に接続されたワイヤレス伝送部とホスト機器側に接続されたワイヤレス伝送部は基本的に同じ構成になっており、互いに送受信モードを随時切り替えながら双方向のデータ伝送を実現する。
【００５１】
次に実際のデータ伝送方法に関して、図２のカメラ−ホスト機器間のデータ伝送イメージ図を使って説明を行う。
【００５２】
まずカメラ本体側では、前述したような方法で撮像素子１並びに信号処理ＤＳＰ６を通して作成された撮影画像ファイルが、カメラの撮影駒順にカメラ本体内部のバッファメモリ９若しくはカードコントローラ１０を介してカメラ本体に直接接続されたカードメモリ１１に記憶されている。
【００５３】
ここで図２の点線部Ａで示した画像ファイル構成のようにカメラ本体側の上記メモリには、１駒目の撮影画像に対するサムネイル画像、次に１駒目の本画像、２駒目の撮影画像に対するサムネイル画像、２駒目の本画像、３駒目のサムネイル画像、３駒目の本画像というように撮影駒順に作成したファイルが記憶されている。
【００５４】
撮影が完了して両機器間のワイヤレス伝送の準備動作が完了した時点で、まず最初にカメラ本体側から全ての撮影駒に対するサムネイル画像のみがワイヤレス通信部１６及び外部アンテナ１７を通して送信され、これをホスト機器２０側のワイヤレス通信部１８及び外部アンテナ１９を介して受信する。
【００５５】
この撮影画像ファイルは、図２の点線部Ｂで示した画像ファイル構成のようにサムネイル画像のみが撮影駒順に配列した形になっており、ホスト機器側ではこのサムネイル画像情報のみを使用して、そのモニター画面上に画像を複数枚一覧表示する。
【００５６】
この時点では画像サイズの小さいサムネイル画像のみを転送しているので、いくらワイヤレス伝送の実行速度が低下していようが、基本的にホスト機器側のユーザーが撮影画像を確認する迄の時間はそれ程長くはならないで済む。
【００５７】
次にホスト機器側のユーザーはそのモニター画面上に一覧表示された画像の内、１枚若しくは複数枚の画像を選択（この例の場合は画像５を選択）して、それをワイヤレス通信部１８を介してカメラ側のワイヤレス通信部１６へ伝送する。
【００５８】
この伝送コマンドをカメラ本体側は受信し、ホスト機器側から本画像送信の要求が来たものとして、ホスト機器側から要求された本画像（この例の場合画像５が選択）をワイヤレス通信部１６を介して送信し、これをホスト機器側ではワイヤレス通信部１８を介して受信する。
【００５９】
このように本実施例ではカメラ側の撮影が完了すると、初めに画像サイズの小さいサムネイル画像のみをホスト機器側に転送し、ホスト機器側からの本画像要求信号に応じて必要な撮影駒に対する本画像のみを転送するような必要最低限の画像転送システムを構成するものである。
【実施例２】
【００６０】
次に本発明の第２の実施例に関して、図３のカメラ−ホスト機器間のデータ伝送イメージ図を使って説明を行う。
【００６１】
まずカメラ本体側では、前述したような方法で撮像素子１並びに信号処理ＤＳＰ６を通して作成された撮影画像ファイルが、カメラの撮影駒順にカメラ本体内部のバッファメモリ９若しくはカードコントローラ１０を介してカメラ本体に直接接続されたカードメモリ１１に記憶されている。
【００６２】
この場合カメラ側の撮影モードとしては１駒の撮影画像に対して、画像処理後の画像に対して非可逆圧縮を行ういわゆるＪＰＥＧ圧縮画像と画像処理を行わずにそのまま可逆圧縮を行うＲＡＷ圧縮画像の２種類の本画像を生成するいわゆるＲＡＷ＋ＪＰＥＧモードに設定されているものとする。
【００６３】
ここで図３の点線部Ｃで示した画像ファイル構成のようにカメラ本体側の上記メモリには、１駒目の撮影画像に対するサムネイル画像、次に１駒目のＪＰＥＧ圧縮画像、１駒目のＲＡＷ圧縮画像、２駒目の撮影画像に対するサムネイル画像、２駒目のＪＰＥＧ圧縮画像、２駒目のＲＡＷ圧縮画像、３駒目のサムネイル画像、３駒目のＪＰＥＧ圧縮画像、３駒目のＲＡＷ圧縮画像というように撮影駒順に作成したファイルが記憶されている。
【００６４】
撮影が完了して両機器間のワイヤレス伝送の準備動作が完了した時点で、まず最初にカメラ本体側から全ての撮影駒に対するサムネイル画像とＪＰＥＧ圧縮画像のみがワイヤレス通信部１６及び外部アンテナ１７を通して送信され、これをホスト機器２０側のワイヤレス通信部１８及び外部アンテナ１９を介して受信する。
【００６５】
この撮影画像ファイルは、図３の点線部Ｄで示した画像ファイル構成のようにサムネイル画像とＪＰＥＧ圧縮画像のみが撮影駒順に配列した形になっており、ホスト機器側ではこの中のサムネイル画像情報のみを使用して、そのモニター画面上に画像を複数枚一覧表示する。
【００６６】
この時点では画像サイズの小さいサムネイル画像と比較的画像サイズの小さいＪＰＥＧ圧縮画像のみを転送しているので、いくらワイヤレス伝送の実行速度が低下していようが、基本的にホスト機器側のユーザーが撮影画像を確認する迄の時間はそれ程長くはならないで済む。
【００６７】
次にホスト機器側のユーザーはそのモニター画面上に一覧表示された画像の内、１枚若しくは複数枚の画像を選択（この例の場合は画像３を選択）して、それをワイヤレス通信部１８を介してカメラ側のワイヤレス通信部１６へ伝送する。
【００６８】
この伝送コマンドをカメラ本体側は受信し、ホスト機器側からＲＡＷ圧縮画像送信の要求が来たものとして、ホスト機器側から要求されたＲＡＷ圧縮画像（この例の場合画像３が選択）をワイヤレス通信部１６を介して送信し、これをホスト機器側ではワイヤレス通信部１８を介して受信する。
【００６９】
このように本実施例ではカメラ側の撮影が完了すると、初めに画像サイズの小さいサムネイル画像と比較的画像サイズの小さいＪＰＥＧ圧縮画像のみをホスト機器側に転送し、ホスト機器側からのＲＡＷ圧縮画像要求信号に応じて必要な撮影駒に対するＲＡＷ圧縮画像のみを転送するような必要最低限の画像転送システムを構成するものである。
【図面の簡単な説明】
【００７０】
【図１】本発明の第１実施例及び第２実施例に係る全体システム構成図である。
【図２】本発明の第１実施例に係る実際の動作を説明した図である。
【図３】本発明の第２実施例に係る実際の動作を説明した図である。
【図４】従来のシステムの動作を説明した図である。
【符号の説明】
【００７１】
１  撮像素子
２  タイミングジェネレータ
３  主撮影光学系
４  レンズ駆動手段
５  アナログフロントエンド回路
６  ＤＳＰ
７  ＣＰＵ
８  カメラ制御手段
９  バッファメモリ
１０  カードコントローラ
１１  カードメモリ
１２  ＴＦＴコントローラ制御手段
１３  ＴＦＴ表示手段
１４  Ｉ／Ｆコントローラ
１５，２０  外部機器
１６，１８  ワイヤレス伝送部
１７，１９  外部アンテナ
【図１】
2006080860.tif 000003
【図２】
2006080860.tif 000004
【図３】
2006080860.tif 000005
【図４】
2006080860.tif 000006